(57)【要約】【課題】複数のユーザーが１つの記録媒体を利用してコンテンツを記録する装置において、記録するコンテンツをユーザー毎のフォルダーに記録したコンテンツのタイトルのリステイングを一覧表示するようにし、且つ各ユーザー毎の使用容量を一覧表示できるようにして、記録媒体の利用管理運営を行うようにしたコンテンツ記録装置を提供する。【解決手段】コンテンツ記録装置は、複数のユーザーの各々が指定したコンテンツを記録する記録媒体と、複数のユーザーの各々が前記記録媒体に記録したコンテンツのタイトルをリステイングの形で一覧表示するユーザー毎のホルダーと、フォルダー毎に使用されている記録媒体の記録容量と、フォルダーに該当しないユーザーが使用した記録媒体の記録容量と、ユーザー全員が使用できる前記記録媒体の記録容量と、を一度に表示する使用容量・残量表示手段と、を備えたことである。【選択図】　　図１
2004039003.tif 000002
【特許請求の範囲】
【請求項１】
複数のユーザーの各々が指定したコンテンツを記録する記録媒体と、
前記複数のユーザーの各々が前記記録媒体に記録したコンテンツのタイトルをリステイングの形で一覧表示するユーザー毎のホルダーと、を備えたことを特徴とするコンテンツ記録装置。
【請求項２】
前記フォルダーにコンテンツのタイトルをリステイングの形で一覧表示させるには、パスワードを用いたログイン機能によることを特徴とする請求項１に記載のコンテンツ記録装置。
【請求項３】
複数のユーザーの各々が指定したコンテンツを記録する記録媒体と、
前記複数のユーザーの各々が前記記録媒体に記録したコンテンツのタイトルをリステイングの形で一覧表示するユーザー毎のホルダーと、
前記フォルダー毎に使用されている前記記録媒体の記録容量と、前記フォルダーに該当しないユーザーが使用した前記記録媒体の記録容量と、前記ユーザー全員が使用できる前記記録媒体の記録容量と、を一度に表示する使用容量・残量表示手段と、
を備えたことを特徴とするコンテンツ記録装置。
【請求項４】
前記フォルダーにコンテンツのタイトルをリステイングの形で一覧表示させるには、パスワードを用いたログイン機能によることを特徴とする請求項３に記載のコンテンツ記録装置。
【請求項５】
複数のユーザーが使用可能な記録媒体を備えると共に、該記録媒体に記録したコンテンツのタイトルを、ユーザー毎のホルダーにリステイングの形で一覧表示させ、
前記ホルダー毎の記録使用容量と、該ホルダーに該当しないで記録した記録使用容量と、未使用の記録容量と、を一度に表示させることを特徴とする残量表示方法。
【発明の詳細な説明】
【０００１】
【発明の属する技術分野】
本発明は、コンテンツ記録装置及び残量表示方法に関し、詳しくは記録媒体、例えば、ハードディスクを備えたコンテンツ記録装置、例えば、ビデオレコーダにおけるユーザー毎のフォルダー管理機能及びユーザー毎の使用容量とユーザー不特定の使用容量と残量を一度に確認できる残量表示機能を備えたコンテンツ記録装置及び残量表示方法に関する。
【０００２】
【従来の技術】
従来技術における記録媒体であるハードディスクを備えたビデオレコーダを利用する場合、記録媒体の大容量の特性を活かして、ＭＰＥＧ方式による画像圧縮技術を用いて記録する。この場合、長時間の番組記録が可能である一方、ノンリムーバルメディアというメディアの特性上、筐体の中に固定的に置かれる。
このように、メディアを取り出せない特性から複数のユーザで利用する場合には記録したタイトルは各利用者の番組タイトルが混在して管理され、表示される。
例えば、図５に示すように、記録時間の新しいものを上位に表示するようにして、記録者であるユーザーＡが記録したニュース番組（ＮＮＮＮ）、記録者であるユーザーＣが記録したスポーツ番組（ＳＰＳＰ）、記録者であるユーザーＢが記録したドラマ番組（ＤＲＤＲ）、記録者であるユーザーＤが記録した野球番組（ＹＹＹＹ）、記録者（不明）であるユーザーＸが記録したサッカー（ＳＳＳＳ）というように、各利用者の記録した番組タイトルは混在して表示される。
【０００３】
又、図６に示すように、これらの不特定多数のものが記録媒体に番組を記録すると、この記録された番組で使用された記録容量を加えた記録済み容量が表示され、又、残りの容量を示す残量が表示される。これによって、現在の記録媒体の使用形態がわかり、現在記録できるか否か、又は不要なタイトル番組を消去したりして、記録媒体の管理をすることができる。
【０００４】
【発明が解決しようとする課題】
しかしながら、従来技術における記録媒体の使用形態を表示するのは、コンテンツを記録したタイトルと、その記録した記録者とをリンクして表示するものであり、複数の利用者がいると混在して表示され、又、必要でないタイトル番組も一覧表示されるため、タイトルの検索性に劣り、且つユーザー各々でのタイトルの管理が困難であるという問題がある。
【０００５】
又、記録媒体の既使用容量と未使用容量の判別は残量表示機能を用いて可能だが、ユーザー各々の使用容量、ユーザーを特定できない使用容量、更に未利用の利用可能な残量の３つの機能を同時に表示できるような有効な表示手段が存在していないという問題がある。
【０００６】
従って、記録媒体に記録されているコンテンツに対して、記録者やユーザーの各々でタイトルを管理すること、及び各々のユーザーが使用できる残存容量の表示等が行える機能を備えたコンテンツ記録装置及び残量表示方法に解決しなければならない課題を有する。
【０００７】
【課題を解決するための手段】
上記課題を達成するために、本発明に係るコンテンツ記録装置及び残量表示方法は、次に示す構成にすることである。
【０００８】
（１）複数のユーザーの各々が指定したコンテンツを記録する記録媒体と、
前記複数のユーザーの各々が前記記録媒体に記録したコンテンツのタイトルをリステイングの形で一覧表示するユーザー毎のホルダーと、を備えたことを特徴とするコンテンツ記録装置。
（２）前記フォルダーにコンテンツのタイトルをリステイングの形で一覧表示させるには、パスワードを用いたログイン機能によることを特徴とする（１）に記載のコンテンツ記録装置。
【０００９】
（３）複数のユーザーの各々が指定したコンテンツを記録する記録媒体と、
前記複数のユーザーの各々が前記記録媒体に記録したコンテンツのタイトルをリステイングの形で一覧表示するユーザー毎のホルダーと、
前記フォルダー毎に使用されている前記記録媒体の記録容量と、前記フォルダーに該当しないユーザーが使用した前記記録媒体の記録容量と、前記ユーザー全員が使用できる前記記録媒体の記録容量と、を一度に表示する使用容量・残量表示手段と、
を備えたことを特徴とするコンテンツ記録装置。
（４）前記フォルダーにコンテンツのタイトルをリステイングの形で一覧表示させるには、パスワードを用いたログイン機能によることを特徴とする（３）に記載のコンテンツ記録装置。
【００１０】
（５）複数のユーザーが使用可能な記録媒体を備えると共に、該記録媒体に記録したコンテンツのタイトルを、ユーザー毎のホルダーにリステイングの形で一覧表示させ、
前記ホルダー毎の記録使用容量と、該ホルダーに該当しないで記録した記録使用容量と、未使用の記録容量と、を一度に表示させることを特徴とする残量表示方法。
【００１１】
このように、記録媒体に記録するコンテンツにリンクするタイトルのリステイングを各ユーザー毎のフォルダーに表示させるようにしたことにより、記録されているコンテンツをユーザー毎に管理運営することができるようになる。
【００１２】
又、ユーザー毎のフォルダーで表示されているタイトルとリンクしているコンテンツで使用されている記録使用容量と、フォルダーで特定できないコンテンツを記録されている記録使用容量と、ユーザー全員で使用できる記録容量を一度に表示させるようにしたことにより、記録媒体の利用形態を各ユーザーが知ることができ、記録媒体の運用や管理を簡単に行うことができるようになる。
【００１３】
【発明の実施の形態】
次に、本発明に係るコンテンツ記録装置及び残量表示方法の実施形態について、図面を参照して説明する。
【００１４】
本発明の残量表示方法を具現化するコンテンツ記録装置は、ハードディスクを利用したビデオレコーダーであり、このビデオレコーダーは、図１に示すように、ハードディスクである記録媒体にコンテンツを記録する際に、その記録者であるユーザーのフォルダーにタイトルを記録すると共に記録媒体に記録する記録使用量を計数すると共に、それぞれのフォルダーの記録使用量を対比できるようにして表示する構成になっている。
その構成は、ハードディスクで形成されている記録媒体１１と、フォルダーを設定するフォルダー設定部１２と、パスワードを入力してログインをするログイン設定部１３と、コンテンツを選択するコンテンツ選択部１４と、記録媒体１１に記録されているコンテンツのタイトルのリステイングを表示するフォルダーを備えてなるフォルダー部１５と、フォルダー毎の使用量、未分類の使用量、残量を表示する使用容量・残量表示手段を構成するインジケーター部１６とを備えた構成になっており、その他の記録再生する機構、コンテンツを受信する機構等は省略している。
【００１５】
フォルダー部１５は、記録媒体を使用するユーザー毎のフォルダーが設定され、このフォルダーは、ユーザーが記録媒体にコンテンツを記録したときのコンテンツのタイトルをリステイングの形で一覧表示する。
例えば、図２に示すように、ユーザーＡのフォルダーは、「サッカー」、「ベースボール」、「ニュース」、「サッカー」、…、「ニュース」のコンテンツのタイトルがリステイングの形で一覧表示されている。ユーザーＢのフォルダーは、「クッキング」、「ニュース」、…、「ドラマ」のコンテンツのタイトルがリステイングの形で一覧表示されている。ユーザーＣのフォルダーは、「ニュース」、「ドラマ」、「カーレース」、「映画」、「サッカー」、…、「ベースボール」のコンテンツのタイトルがリステイングの形で一覧表示されている。ユーザーＤのフォルダーは、「連続ドラマ」、「ニュース」、「ドラマ」、「映画」、…、「ドラマ」のコンテンツのタイトルのリステイングの形で一覧表示されている。ユーザー不明Ｘのフォルダーは、「サッカー」、「ベースボール」、「テニス」、「ラグビー」、…、「ゴルフ」のコンテンツのリステイングの形で一覧表示されている。
【００１６】
インジケーター部１６は、フォルダー毎の使用量、未分類の使用量、記録媒体１１の残量を一覧表示するものであり、その一覧表示形態は、図３に示すように、棒グラフで表示する。この棒グラフは、全体の長さを１００％とした場合に割合で一覧表示したものである。例えば、フォルダーＡの利用者の使用量は２０％、フォルダーＢの使用者の使用量は３０％、フォルダーＣの使用者の使用量は１０％、フォルダーＤの使用者の使用量は５％、未分類のフォルダーが指定されていない使用量が１５％、全てのユーザーに使用可能容量が２０％とすると、その使用量のバランスが色に識別や棒グラフの大きさ等により一目瞭然に解るように表示される。
この表示形態をみて、例えば、フォルダーＢの利用者の使用量が多いことが解り、これによって、フォルダーＢの利用者の利用を控えるとか、既に記録されているコンテンツの整理を行う等の対処ができる。
【００１７】
図４は、他の表示形態を示したものであり、記録媒体の使用容量を、風船形状に模擬して視認性を高めた構成になっている。即ち、ユーザーＡの使用容量は２０％でやや大きな風船形状にし、ユーザーＢは１０％の使用量で小さな風船とし、ユーザーＣは２８％の使用量で一番大きな風船とし、ユーザーＤは１５％の使用量でユーザーＡの風船よりは小さく、ユーザーＢの風船よりは大きくし、ユーザーＸは２０％の使用量でユーザーＡの風船と同じ大きさになっている。そして、一番大きなユーザーＣに対して、割り当てられた容量に近づくと警告を促すキャラクター２１が登場して、風船を割るような行為を示して、予め決められた容量に近づいていることを解るようにする。
【００１８】
【発明の効果】
上記説明したように、本発明に係るコンテンツ記録装置は、複数のユーザーが共同して使用できる記録媒体に対して、ユーザー毎のフォルダーに記録したコンテンツのタイトルをリステイングの形で一覧表示するようにしたことにより、複数のユーザーが所有するコンテンツを混在しないで確認し、又、ユーザー毎に使用することができるという効果がある。
【００１９】
又、記録媒体の既存使用容量や残量を、ホルダー毎のユーザの使用容量と、ホルダーを使用しないユーザーの使用容量と、ユーザーが使用できる残量とを同時に表示するようにしたことにより、現在の使用形態が一目で解るばかりでなく、これから使用できる容量も含め、使用する記録容量の増減を管理することができるという効果がある。
【図面の簡単な説明】
【図１】本発明に係るコンテンツ記録装置の概念図である。
【図２】同ホルダーの概念図である。
【図３】同ホルダー毎の使用容量を表示する例を示した説明図である。
【図４】同ホルダー毎の使用容量を表示する例を示した説明図である。
【図５】従来技術における記録したタイトルの一覧表示を示す説明図である。
【図６】従来技術における記録使用容量を表示する様子を示した説明図である。
【符号の説明】
１１；記録媒体、１２；フォルダー設定部、１３；ログイン設定部、１４；コンテンツ選択部、１５；フォルダー部、１６；インジケーター部、２１；キャラクター。
【図１】
2004039003.tif 000003
【図２】
2004039003.tif 000004
【図３】
2004039003.tif 000005
【図４】
2004039003.tif 000006
【図５】
2004039003.tif 000007
【図６】
2004039003.tif 000008